(57)【要約】【課題】施解錠できる遠隔操作器（リモコン）を複数の施解錠許諾者が共用でき、施解錠許諾者のみがその許諾されている什器に設けた錠の施解錠を実施することができる什器の遠隔施解錠システムを提供すること。【解決手段】リモコン８が、施解錠が許諾された施解錠許諾者の登録コードを入力しうる入力キーと、この登録コードを含む解錠或いは施錠指示信号を発信する送信モジュールを備え、什器１ａ〜２ｃ側に設けた制御手段１１，２１が、施解錠許諾者の登録コードと施解錠許諾者が許諾されている施解錠手段コードを登録する記憶部を備え、リモコン８からある登録コ−ドが発信されたと、制御手段の記憶部に登録されている施解錠許諾者の登録コードと比較、照合し、両者が一致した場合に登録コードに基づく施解錠許諾者が許諾されている施解錠手段コードより当該施解錠許諾者の鍵ユニット１８または２２の制御を実施する。【選択図】  図１
2004250953.tif 000002
【特許請求の範囲】
【請求項１】
少なくとも内部に収容部を有するとともに、該収容部へのアプローチを規制する規制部材と、該規制部材の開放を抑止又は該抑止を解除する施解錠手段と、遠隔操作器から送信される解錠或いは施錠指示信号を非接触にて受信し得る受信手段と、該受信手段における前記指示信号の受信に基づいて前記施解錠手段の施解錠を行う制御手段と備える複数の什器から成る什器群と、前記什器群の施解錠を前記遠隔操作器より遠隔にて実施可能な什器の遠隔施解錠システムであって、
前記遠隔操作器は、施解錠が許諾された施解錠許諾者の登録コードを入力しうる入力キーと、少なくとも該登録コードを含む解錠或いは施錠指示信号を発信しうる送信手段を備え、前記制御手段は、施解錠許諾者の登録コードと施解錠許諾者が許諾されている施解錠手段コードが登録されている記憶部を備え、前記遠隔操作器が発信された登録コ−ドと制御手段の記憶部に登録されている施解錠許諾者の登録コードとを比較し、両者が一致した場合において該登録コードに基づく施解錠許諾者が許諾されている施解錠手段の制御を実施することを特徴とする什器の遠隔施解錠システム。
【請求項２】
前記制御手段はリモート端末と接続されている請求項１に記載の什器の遠隔施解錠システム。
【請求項３】
前記遠隔操作器は専用プログラムを作成し、前記制御手段に供給可能な携帯端末である請求項１または２に記載の什器の遠隔施解錠システム。
【請求項４】
前記記憶部には複数の登録コードを登録させておくことが可能な請求項１ないし３のいずれかに記載の什器施解錠システム。
【発明の詳細な説明】
【０００１】
【発明の属する技術の分野】
本発明は、施錠することが可能な什器に係り、特にメカニカルで煩雑な作業を省略して、これら什器の解錠を可能とした什器施解錠システムに関する。
【０００２】
【従来の技術】
従来、施解錠することが可能な什器の施解錠方法としては、その什器の鍵をもって什器に出向き、鍵を鍵穴に差し込んで施解錠することにより実施されているが、これら鍵による施解錠に際しては、鍵を持参するとともに、その鍵を鍵穴に差し込んで施解錠操作を実施する必要があり、什器に荷物や書類を収納、搬出する際には、これら荷物を持った状態にて前記施解錠操作を行うことになるため、これら施解錠操作が行い難いばかりか、鍵を什器に持参する必要があることから、これら鍵等が紛失し易いという問題があった。
【０００３】
このため、近年においては、これらの問題を解決する１手法として、電磁波や赤外線等を用いて遠隔操作器により遠隔にて什器の施解錠を実施することのできる什器施解錠システムが検討されてきている。本願出願人も、リモコンにて複数の什器の施解錠が実施できる什器施解錠システムを既に出願している（特願２００１−３３８１９６号）。このような施解錠システムは施解錠許諾者毎に識別符号が異なるリモコンを保有してもらい、施解錠許諾者はリモコンの識別符号により予め割り当てられているので、施解錠許諾者が自分専用のリモコンキーとして使用することが可能であった。
【０００４】
【発明が解決しようとする課題】
これら什器施解錠システムにおいては、遠隔にて施解錠ができることから便利である一方、施解錠許諾者全員にリモコンを手渡さなければならずそのコストや保管管理が煩雑であり、しかも施解錠許諾者が保有しているリモコンを他の人が操作することで容易に什器に設けた錠が開錠されてしまうという問題があった。
【０００５】
よって、本発明は上記した問題点に着目してなされたもので、施解錠できる遠隔操作器（リモコン）を複数の施解錠許諾者が共用でき、施解錠許諾者のみがその許諾されている什器に設けた錠の施解錠を実施することができる什器の遠隔施解錠システムを提供することを目的としている。
【０００６】
【課題を解決するための手段】
前記した問題を解決するために、本発明の什器の遠隔施解錠システムは、少なくとも内部に収容部を有するとともに、該収容部へのアプローチを規制する規制部材と、該規制部材の開放を抑止又は該抑止を解除する施解錠手段と、遠隔操作器から送信される解錠或いは施錠指示信号を非接触にて受信し得る受信手段と、該受信手段における前記指示信号の受信に基づいて前記施解錠手段の施解錠を行う制御手段と備える複数の什器から成る什器群と、前記什器群の施解錠を前記遠隔操作器より遠隔にて実施可能な什器の遠隔施解錠システムであって、前記遠隔操作器は、施解錠が許諾された施解錠許諾者の登録コードを入力しうる入力キーと、少なくとも該登録コードを含む解錠或いは施錠指示信号を発信しうる送信手段を備え、前記制御手段は、施解錠許諾者の登録コードと施解錠許諾者が許諾されている施解錠手段コードが登録されている記憶部を備え、前記遠隔操作器が発信された登録コ−ドと制御手段の記憶部に登録されている施解錠許諾者の登録コードとを比較し、両者が一致した場合において該登録コードに基づく施解錠許諾者が許諾されている施解錠手段の制御を実施することを特徴としている。
この特徴によれば、施解錠許諾者の登録コードによって施解錠許諾者が許諾されている施解錠手段の制御が実施されるので、一つの遠隔操作器で複数の施解錠許諾者が共用することができ、しかも他の人が勝手に許諾されていない他人の什器に付属する施解錠手段を操作することはできない。
【０００７】
本発明の什器の遠隔施解錠システムにおいて、前記制御手段はリモート端末と接続されていることが好ましい。
このようにすれば、リモート端末からの施解錠手段の操作が可能であるばかりでなく、制御手段の記憶部の書き換えや、また施解錠許諾者が許諾されている複数の施解錠手段のうち特定のものを選択して操作することや、操作履歴の記録等の総合管理が可能である。
【０００８】
本発明の什器の遠隔施解錠システムにおいて、前記遠隔操作器は専用プログラムを作成し、前記制御手段に供給可能な携帯端末であることが好ましい。
このようにすれば、携帯端末に登録コード以外にパスワード入力が可能となり、また施解錠許諾者が許諾されている複数の施解錠手段のうち特定のものを選択して操作したり、操作履歴を残すことも可能で、多様な使用形態が実現できる。
【０００９】
本発明の什器の遠隔施解錠システムにおいて、前記記憶部には複数の登録コードを登録させておくことが可能なことが好ましい。
このようにすれば、什器の施解錠手段を複数の施解錠許諾者が共用して使用したり区分けして使用したりすることができる。
【００１０】
【発明の実施の形態】
以下、図面に基づいて本発明の実施形態を説明する。
【００１１】
図１〜図６は本発明の一実施形態を示すもので、図１は施解錠許諾者の登録コードに基づいて複数の什器における登録された施解錠手段を遠隔操作により操作する遠隔施解錠システムの説明図、図２は本発明の一実施形態に係り両開き扉を有するキャビネットとレテラルキャビネットを組み合わせた２段セットの什器を示す外観斜視図、図３は本発明の実施形態に用いた制御ユニットの構成を示すブロック図、図４は本発明の実施形態に用いたリモコンを示す外観斜視図、図５は本発明の実施形態に用いたリモコンの構成を示すブロック図であり、図６は施解錠許諾者の登録コードとこの登録コードに基づく施解錠許諾者が許諾されている施解錠手段の関係を示す図表である。
【００１２】
図１において、符号１ａ，１ｂ，１ｃは観音開き構造のキャビネットを示し、これらキャビネット１ａ，１ｂ，１ｃは、引出し構造として構成されるラテラルキャビネット２ａ，２ｂ，２ｃの上部に載置した２段構造の什器を構成している。
【００１３】
上記の什器を構成する各キャビネット１ａ，１ｂ，１ｃないしラテラルキャビネット２ａ，２ｂ，２ｃには、それぞれ制御手段としての後述する制御ユニット１１，２１が設けられている。
【００１４】
詳しくは、図２に示す同一構成の什器として代表されるように、キャビネット１ａ，１ｂ，１ｃの内部は、書類等が収容される収納部１４として構成されており、この収納部１４の前面は規制部材となる観音開き構造の開閉扉１’により閉塞されるようになっており、開閉扉１’の内部上方には後述するリモコン８からの信号を受けて施解錠の制御を行う制御ユニット１１がそれぞれ隠蔽状態で設けられ、この制御ユニット１１には電子錠２０を有する施解錠手段としての鍵ユニット１８が接続されている。
【００１５】
この鍵ユニット１８は、キャビネット１ａ，１ｂ，１ｃ毎に設けられており、キャビネット１ａはＡ１、キャビネット１ｂはＢ１、キャビネット１ｃはＣ１の鍵区分コードに記号で区分けされている。
【００１６】
そして、開閉扉１’の前面上方には遠隔操作器としてのリモコン８からの信号を受信した際に点灯制御される受信ランプ（ＬＥＤ）Ｌ１，Ｌ３，Ｌ５が各制御ユニット１１に対応して設けられており、電力ケーブル１３は制御ユニット１１に接続されると共に、キャビネット１ａ，１ｂ，１ｃの背面から導出された電源ケーブル１９（図１参照）に接続されている。
【００１７】
一方、ラテラルキャビネット２ａ，２ｂ，２ｃは、上下３段の引出し部を備えており、上部の天板２３前面内部には互いに電気的に接続される制御ユニット２１と鍵ユニット２２がそれぞれ設けられている。
【００１８】
この鍵ユニット２２は、ラテラルキャビネット２ａ，２ｂ，２ｃ毎に設けられており、ラテラルキャビネット２ａはＡ２、ラテラルキャビネット２ｂはＢ２、ラテラルキャビネット２ｃはＣ２の鍵区分コードに記号で区分けされている。
【００１９】
そして、天板２３の前面には、制御ユニット２１に接続された受信ランプ（ＬＥＤ）Ｌ２，Ｌ４，Ｌ６が各制御ユニット２１に対応して設けられており、天板２３内部に設けられた制御ユニット２１には電子錠２５を有する施解錠手段としての鍵ユニット２２が接続されている。なお、図１に示す２９はラテラルキャビネット２ａ，２ｂ，２ｃに電力を供給するための電源ケーブルであり、上記の鍵ユニット１８，２２は鍵を使用することで、マニュアル操作でも機械的に施解錠が可能となっている。
【００２０】
次に、制御ユニット１１に付き図３を参照して説明する。なお、この制御ユニット１１はラテラルキャビネット２ａ，２ｂ，２ｃの制御ユニット２１の構成と同一構成であり、重複する説明を省略する。
【００２１】
この制御ユニット１１は、リモコン８から送信される信号を受信する無線モジュールとなる受信手段３６と、制御手段３５とから構成さてれおり、この受信手段３６は、リモコン８から送信される登録コード及び解除指示や施錠指示としての信号の受信に基づいて鍵ユニット１８の施解錠の制御を行う非接触通信手段である無線モジュールから構成されている。
【００２２】
また、制御手段３５は、施解錠許諾者の登録コード（ＩＤコード）及び施解錠許諾者が許諾されている施解錠手段コードを登録する記憶部３８と、上記各コードの比較、照合等を行うマイコン（ＭＰＵ）３７と、登録コードの登録時に操作される登録ボタンスイッチ４４や、これら登録の削除時に操作される削除ボタンスイッチ４５や、電力ケーブル１３（図３参照）に接続されて交流を直流に変換して装置内部、並びに鍵ユニット１８に電力を伝達するための電源ユニット４０と、鍵ユニット１８への電力と信号を制御するコネクタ部３９とから構成されている。なお、図３に示す制御手段３５に設けられた入力部４６には、図示しないパソコンが接続されるようになっている。
【００２３】
次に、リモコン８に付き図４、図５を参照して詳述する。
【００２４】
遠隔操作器としてのリモコン８は、複数の施解錠許諾者が共用可能となっており、薄型の樹脂で形成された筐体５１で構成されている。この筐体５１の上面には施錠ボタン５２、解錠ボタン５３、並びに送信状態を確認するための確認ランプ（ＬＥＤ）５８が設けられており、その前面中央部には施解錠が許諾された施解錠許諾者の登録コードを入力すべく数字やアルファベット等を入力する入力キー６０が配設されている。
【００２５】
筐体５１の内部には、図５に示すように、各什器の制御ユニット１１，２１に搭載されている受信手段３６へ施解錠許諾者の登録コード及び、施錠または解錠の指示信号を信号として発信する送信モジュール５４と、入力キー６０に接続される登録コード入力部５７と、この登録コード入力部５７を介して施解錠許諾者の登録コードを登録するコントローラ５５と、送信モジュール５４ないしコントローラ５５を作動させるための蓄電器としての交換可能なボタン電池５６が内蔵されている。
【００２６】
各什器の制御ユニット１１，２１の記憶部３８には、図６の図表に示されるように、施解錠許諾者の登録コード（ＩＤコード）０００１〜０１００と、この登録コードに対応する各施解錠許諾者に許諾された各什器毎の施解錠手段コード（鍵種別符号）０２Ａ１，０２Ａ２，０１７Ｂ２等が登録されている。
【００２７】
そこで、図６に示す施解錠許諾者であるオカムラ・ジロウ氏が共用のリモコン８を使用して、什器に向けた状態で、自分の登録コードを入力し解錠ボタン５３を押圧操作すると、送信モジュール５４から信号が発し同時に確認ランプ５８が点灯し、発信された信号は制御ユニットの受信手段３６に受信される。
【００２８】
受信手段３６に信号が受信されると、受信された登録コードと予め登録されたオカムラ・ジロウ氏の登録コード０００２が照合され、これらが互いに一致するとオカムラ・ジロウ氏が許諾されている施解錠手段コード（鍵種別符号）０２（Ｂ１），０２（Ｂ２）に対応する什器のキャビネットの電子錠が解錠され、該当する電子錠の受信ランプＬ３，Ｌ４が点灯する。ここで施解錠手段コードの「０２」は什器群の一つを示し、「Ｂ１，Ｂ２」は０２の什器内の電子錠の種別を表している。
【００２９】
したがって、図６からわかるように、オカムラタロウとタムラジロウは、鍵種別符号が０２（Ａ１）で一部一致しており、これは０２群の什器の電子錠Ａ１を有するキャビネットを共用していることを示している。
【００３０】
次に、所定の作業が終了して開閉扉１’が閉じられると、オカムラ・ジロウがリモコン８を什器に向けて施錠ボタン５２を押圧操作すると送信モジュール５４から信号が発信されて確認ランプ５８が点灯し、今まで点灯していた什器の受信ランプＬ３，Ｌ４が消灯する。なお、オカムラ・ジロウが自分の許諾されているキャビネットの電子錠を解錠して作業中である場合に、タムラジロウが自分のキャビネットの電子錠を解錠するときは、自分の登録コードである０００３を入力して、解錠ボタン５３を押圧操作すればよい。
【００３１】
なお、什器の制御手段３５の入力部４６にリモート端末としてのパソコンを接続した場合は、このパソコンを使用して、施解錠許諾者が許諾されている複数の施解錠手段コード内で、特定の施解錠手段コードを設定して、自分の許諾されている施解錠手段コードに対応する電子錠から特定の電子錠を選択して施解錠することができる。
【００３２】
更に、専用プログラムをインストールした携帯端末（ＰＤＡ）に施解錠許諾者の登録コード並びにパスワードを入力して施解錠操作を行うことで、当該施解錠許諾者が許諾された什器の施解錠を行ったり、リモート端末と同様に自分の許諾されている施解錠手段コードに対応する電子錠から特定の電子錠を選択して施解錠することもできし、施解錠許諾者の操作履歴が記録されるようにすることも可能である。
【００３３】
したがって、上記のように構成された什器の遠隔施解錠システムによれば、施解錠許諾者の登録コードによって、一つのリモコン８で複数の施解錠許諾者が共用することができ、しかも他の人が勝手に許諾されていない什器に付属する施解錠手段を操作することはできない。
【００３４】
また、制御手段３５が、リモート端末としてのパソコンと接続されることで、パソコンからの鍵ユニット１８または２２の操作が可能であるばかりでなく、制御手段３５の記憶部３８の書き換えや、また施解錠許諾者が許諾されている複数の鍵ユニット１８または２２のうち特定の鍵ユニット１８または２２を選択して操作することや、操作履歴の記録等の総合管理が可能である。
【００３５】
更に、遠隔操作器としての携帯端末は、専用プログラムを作成し、制御手段３５に供給可能となっているので、携帯端末に登録コード以外にパスワード入力が可能となり、また施解錠許諾者が許諾されている複数の鍵ユニット１８または２２のうち特定の鍵ユニット１８または２２を選択して操作したり操作履歴を残すことも可能で、多様な使用形態を実現できる。
【００３６】
制御手段３５の記憶部３８には、複数の登録コードを登録させておくことが可能となっているので、什器の鍵ユニット１８または２２を、複数の施解錠許諾者が共用して使用したり区分けして使用したりすることができる。
【００３７】
【発明の効果】
本発明は以下の効果を奏する。
【００３８】
（ａ）請求項１項の発明によれば、施解錠許諾者の登録コードによって施解錠許諾者が許諾されている施解錠手段の制御が実施されるので、一つの遠隔操作器で複数の施解錠許諾者が共用することができ、しかも他の人が勝手に許諾されていない他人の什器に付属する施解錠手段を操作することはできない。
【００３９】
（ｂ）請求項２項の発明によれば、リモート端末からの施解錠手段の操作が可能であるばかりでなく、制御手段の記憶部の書き換えや、また施解錠許諾者が許諾されている複数の施解錠手段のうち特定のものを選択して操作することや、操作履歴の記録等の総合管理が可能である。
【００４０】
（ｃ）請求項３項の発明によれば、携帯端末に登録コード以外にパスワード入力が可能となり、また施解錠許諾者が許諾されている複数の施解錠手段のうち特定のものを選択して操作したり、操作履歴を残すことも可能で、多様な使用形態が実現できる。
【００４１】
（ｄ）請求項４項の発明によれば、什器の施解錠手段を複数の施解錠許諾者が共用して使用したり区分けして使用したりすることができる。
【図面の簡単な説明】
【図１】本発明の一実施形態に係り、施解錠許諾者の登録コードに基づいて複数の什器における登録された施解錠手段を遠隔操作により操作する遠隔施解錠システムの説明図である。
【図２】本発明の一実施形態に係り両開き扉を有するキャビネットとレテラルキャビネットを組み合わせた２段セットの什器を示す外観斜視図である。
【図３】本発明の実施形態に用いた制御ユニットの構成を示すブロック図である。
【図４】本発明の実施形態に用いたリモコンを示す外観斜視図である。
【図５】本発明の実施形態に用いたリモコンの構成を示すブロック図である。
【図６】施解錠許諾者の登録コードとこの登録コードに基づく施解錠許諾者が許諾されている施解錠手段の関係を示す図表である。
【符号の説明】
１’                        開閉扉
１ａ，１ｂ，１ｃ            キャビネット
２ａ，２ｂ，２ｃ            ラテラルキャビネット
８                          リモコン
１１，２１                  制御ユニット
１３                        電力ケーブル
１４                        収納部
１８，２２                  鍵ユニット
１９                        電源ケーブル
２０，２５                  電子錠
２３                        天板
３５                        制御手段
３６                        受信手段
３７                        ＭＰＵ
３８                        記憶部
３９                        コネクタ部
４０                        電源ユニット
４４                        登録ボタンスイッチ
４５                        削除ボタンスイッチ
４６                        入力部
５１                        筐体
５２                        施錠ボタン
５３                        解錠ボタン
５４                        送信モジュール
５５                        コントローラ
５６                        ボタン電池
５７                        登録コード入力部
５８                        確認ランプ
６０                        入力キー
Ｌ１〜Ｌ５                  受信ランプ
【図１】
2004250953.tif 000003
【図２】
2004250953.tif 000004
【図３】
2004250953.tif 000005
【図４】
2004250953.tif 000006
【図５】
2004250953.tif 000007
【図６】
2004250953.tif 000008